(57)【要約】【課題】  吸水性を有する温石浴構造の提供。【解決手段】  珪藻土等の多孔質材料を主原料として、それを焼成し、硬質の多孔質吸水石１を形成する。そして、多数の多孔質吸水石１をベット２上に敷き詰めると共にベット２の下面側より加温手段３により加温する。【選択図】        図１
2007020752.tif 000002
【特許請求の範囲】
【請求項１】
珪藻土等の多孔質材料を主原料とし、それを焼成して硬質で多孔質の吸水性を有する丸薬〜砂利石程の大きさの多孔質吸水石(1) が形成され、
多数の前記多孔質吸水石(1) を敷き詰めてベット(2) が構成されると共に、そのベット(2) がその下面側より加温手段(3) により加温される温石浴構造。
【請求項２】
請求項１において、
副原料として、ゲルマニウム、トルマリンのうちいずれか一方、または両者の粉体を混入し、全体を中空にして前記多孔質吸水石(1) が構成された温石浴構造。
【請求項３】
請求項１または請求項２において、
前記ベット(2) が乾燥状態に保持される温石浴構造。
【請求項４】
請求項３において、
前記ベット(2) は、金属製の底部(4) を有する皿状体内に前記多数の多孔質吸水石(1) が収納され、その底部(4) が温水またはヒータで加温される温石浴構造。
【請求項５】
請求項１または請求項２において、
前記ベット(2) が湿潤状態に保持される温石浴構造。
【請求項６】
請求項５において、
前記ベット(2) は、底に不織布または人口芝が敷設された通水性床部(5) を有し、その通水性床部(5) に多数の前記多孔質吸水石(1) が敷き詰められ、その通水性床部(1) に温水が流通するように構成された温石浴構造。
【請求項７】
請求項１〜請求項６のいずれかにおいて、
多数の前記多孔質吸水石(1) の集合体の下面側が網(6) で支持された温石浴構造。
【請求項８】
請求項１〜請求項６のいずれかにおいて、
多数の前記多孔質吸水石(1) の集合体が網(6) の袋に収納された温石浴構造。
【請求項９】
請求項８において、
網(6) の袋に収納された状態で、多数の前記多孔質吸水石(1) が背もたれ部(24)に配置された椅子形の温石浴構造。
【発明の詳細な説明】
【技術分野】
【０００１】
本発明は、多数の敷き詰められた玉石でベッドを構成し、ベッド全体を加温してそこに横たわることができる温石浴構造に関する。
【背景技術】
【０００２】
従来、石板からなるベッドを４０〜４５℃程度に加温し、その上に横たわって身体を暖め、発汗作用を促進させる岩盤浴が知られている。更には、多数の玉石を敷き詰めたベッドを加温し、その上に浴衣のまま横臥することにより、身体を温める方法が提案されている。
【０００３】
【特許文献１】特開２００４−１３００４７号公報
【特許文献２】特開２００２−３５０７８号公報
【特許文献３】特開２００５−７３８００号公報
【発明の開示】
【発明が解決しようとする課題】
【０００４】
従来の岩盤浴や玉石浴は、発汗に伴い岩盤上又は玉石が汗で濡れることになり、それを乾燥させる別個の手段が必要となる。また、岩盤浴等において湿気を必要とする場合には、そのための湿気供給装置が必要であった。
そこで本発明は、構造が簡単でこれらの問題点を解決する温石浴構造を提供することを課題とする。
【課題を解決するための手段】
【０００５】
請求項１に記載の本発明は、珪藻土等の多孔質材料を主原料とし、それを焼成して硬質で多孔質の吸水性を有する丸薬〜砂利石程の大きさの多孔質吸水石(1) が形成され、
多数の前記多孔質吸水石(1) を敷き詰めてベット(2) が構成されると共に、そのベット(2) がその下面側より加温手段(3) により加温される温石浴構造である。
【０００６】
請求項２に記載の本発明は、請求項１において、
副原料として、ゲルマニウム、トルマリンのうちいずれか一方、または両者の粉体を混入し、全体を中空にして前記多孔質吸水石(1) が構成された温石浴構造である。
【０００７】
請求項３に記載の本発明は、請求項１または請求項２において、
前記ベット(2) が乾燥状態に保持される温石浴構造である。
【０００８】
請求項４に記載の本発明は、請求項３において、
前記ベット(2) は、金属製の底部(4) を有する皿状体内に前記多数の多孔質吸水石(1) が収納され、その底部(4) が温水またはヒータで加温される温石浴構造である。
【０００９】
請求項５に記載の本発明は、請求項１または請求項２において、
前記ベット(2) が湿潤状態に保持される温石浴構造である。
【００１０】
請求項６に記載の本発明は、請求項５において、
前記ベット(2) は、底に不織布または人口芝が敷設された通水性床部(5) を有し、その通水性床部(5) に多数の前記多孔質吸水石(1) が敷き詰められ、その通水性床部(1) に温水が流通するように構成された温石浴構造である。
【００１１】
請求項７に記載の本発明は、請求項１〜請求項６のいずれかにおいて、
多数の前記多孔質吸水石(1) の集合体の下面側が網(6) で支持された温石浴構造である。
【００１２】
請求項８に記載の本発明は、請求項１〜請求項６のいずれかにおいて、
多数の前記多孔質吸水石(1) の集合体が網(6) の袋に収納された温石浴構造である。
【００１３】
請求項９に記載の本発明は、請求項８において、
網(6) の袋に収納された状態で、多数の前記多孔質吸水石(1) が背もたれ部(24)に配置された椅子形の温石浴構造である。
【発明の効果】
【００１４】
本発明の温石浴構造は、多孔質の珪藻土等の材料を主原料とする多数の多孔質吸水石１を敷き詰めてベット２を構成し、そのベット２を下面側より加温手段３によって加温するものであるから、その吸水性を利用した各種の温石浴構造を提供できる。即ち、ベット２を乾燥状態に保持したときには、その上に横臥する人体の発汗を直ちに吸水し、ベット２表面を常に乾燥状態に保持することができる。しかも、そのベット２は丸薬〜砂利石程度の大きさの多孔質吸水石１を多数敷き詰めたものであるから、より吸水性が向上する。
【００１５】
また、ベット２を湿潤状態に保持したときには、その上に横臥される人体に適度な湿り気を与えた状態で、発汗作用を促し、新陳代謝を促進することができる。そして、多数の多孔質吸水石１が人体表面を適度に刺激し、マッサージ効果を発揮しうる。
【００１６】
多孔質珪藻土を主原料とし、副原料としてゲルマニウム、トルマリンの少なくとも一方を混入し、全体を中空にして多孔質吸水石１を構成した場合には、ゲルマニウム又はトルマリンの持つ効果を人体に与えることができる。即ち、ゲルマニウム温泉の効果や、トルマリンによるマイナスイオン作用、消臭・除菌作用を与えることができる。また、ゲルマニウム温泉の効用として腰痛、冷え、肩こり、ただれ、高血圧症等の効能を与えることができる。さらには、多孔質吸水石１を中空にすることにより、吸水効果を向上できる。
【００１７】
上記構成において、金属製の底部４上に多数の多孔質吸水石１を収納し、その底部４を温水又はヒーターで加温する温石浴構造とした場合には、構造が簡単で効率のよい温石浴を提供できる。
【００１８】
上記構成において、不織布又は人工芝で通水性床部５を形成し、その通水性床部５上に多数の多孔質吸水石１を敷き詰めてベット２を形成した場合には、不織布又は人工芝で支持された多孔質吸水石１に弾性を与え、感触のよい温石浴となりうる。それと共に、不織布又は人工芝自体に温水が流通するため、効率のよい構造の簡単な温石浴を提供できる。
【００１９】
上記構成において、多数の多孔質吸水石１の集合体の下面側を網６で支持した場合には、多数の多孔質吸水石１を容易に取り除いて多孔質吸水石１自体およびそれ以外の部分を容易に分離して夫々の清掃ができる。
【００２０】
上記構成において、多数の多孔質吸水石１の集合体を網６の袋に収納した構造においては、多孔質吸水石１をより迅速に分離して、その清掃等を行うことができる。
【００２１】
上記構成において、網６の袋に収納された状態で多孔質吸水石１を椅子の背もたれ部24に配置したものにおいては、背もたれ部24をもベット２として利用できる新たな温石浴を提供できる。
【発明を実施するための最良の形態】
【００２２】
次に、図面に基づいて本発明の実施の形態につき説明する。図１〜図４は本発明の第１の実施の形態を示し、図１はその縦断面図および一部拡大図、図２は図１のII−II矢視断面略図、図３は同平面図、図４はその温石浴の台部分の分解斜視図である。
【００２３】
この温石浴構造は、外周に配置した枠板14と底部４とで浅い皿状構造を形成し、それに多数の多孔質吸水石１を敷き詰めたものである。多孔質吸水石１は図１（Ｂ）に示す如く多孔質の珪藻土を主原料として、それを焼成し硬質で吸水性を有する丸薬〜砂利石ほどの大きさ（一例として直径４mm〜30mm程）の球状又は長円形等としたものであって、内部に中空部20が形成されたものである。なお、珪藻土の代わりに他の多孔質材料をバインダで球状等に形成しそれを焼成して多孔質吸水石１としてもよい。
【００２４】
また、この多孔質吸水石１には、ゲルマニウムの粉末或いはトルマリンの粉末を副原料として珪藻土に混入し、それを焼成して多孔質吸水石１とすることができる。このような多孔質吸水石１を底部４上に敷き詰めてベット２を形成する。この底部４の下面側には加温手段３が設けられている。加温手段３は、上板12と下板13との間に流路16を形成し、そこに温水19を流通させるものである。この例では、一対の上板12，下板13間に図４に示す如く複数のチャンネル材９を配置すると共に、その長手方向両端に一対のヘッダ７，ヘッダ８を配置し、それらで液密構造を構成する。ヘッダ７の長手方向一端には入口パイプ10が連通し、その一側面には多数の孔15が穿設されている。ヘッダ８はその長手方向一端に出口パイプ11が連通している。
【００２５】
このようにしてなる加温手段３は、入口パイプ10から温水が流入し、ヘッダ７および各孔15を介してチャンネル材９内およびチャンネル材９間にそれが流通し、ヘッダ８，出口パイプ11を介して外部に導かれる。なお、温水19は温泉水を利用することができる。あるいは、ボイラで加温した温水を循環させることもできる。なお、加温手段３として温水19を用いる代わりに、電熱ヒータあるいは蒸気を用いて底部４を加温してもよい。いずれの場合にも底部４を加温し、多孔質吸水石１の表面温度を４０〜５０℃程度、好ましくは４３〜４６℃程度に保持する。
【００２６】
次に、図５は本発明の第２の実施の形態を示し、この例は加温手段３の底部４上にゴム材21を介して多数の多孔質吸水石１が敷き詰められたものである。このように底部４上にゴム材21を介することにより、多数の多孔質吸水石１にクッション性を与え、より感触のよいベッドとすることができる。なお、多孔質吸水石１自体は前記第１の実施の構造と同一である。
【００２７】
図６〜図８は本発明の第３の実施の形態を示し、この例は枠板14内の底に人工芝22が敷き詰められ、その人工芝22上に多数の多孔質吸水石１が敷き詰められた湿式の温石浴構造である。枠板14は、図８の如く一方の底に開口18が設けられ、その開口18から温水19が枠板14内部に流通する構造とされている。そしてその温水19は、図６の如く人工芝22内を流通し、多孔質吸水石１を加温する。この湿式の温石浴構造は、熱効率がよく、構造が簡単である。また、多孔質吸水石１が温水を吸水するため、そのベット２に横架する人を適度に加湿し、気持ちのよいリラックス温浴効果をもたらす。この例では３種類の大きさの違う多孔質吸水石１が図６および図７に示す如く３つの枠内にそれぞれ収納されている。より大きな多孔質吸水石１を用いれば、指圧効果が大となり、より小さな多孔質吸水石１を用いれば横臥した身体の感触がよくなる。
【００２８】
次に、図９は前記の実施例の人工芝22の代わりに不織布23を枠板14の底部に敷き詰めたものである。そして、その不織布23上に多数の多孔質吸水石１が敷き詰められている。不織布23および人工芝22のいずれの場合にも、その弾性により多孔質吸水石１を弾性的に保持して、温石浴の使用者の肌に感じる感触を柔らかくしている。
【００２９】
次に、図１０は更に本発明の他の実施例であり、この例は底部４上に砂17を介し多数の多孔質吸水石１が敷き詰められている。なお、多孔質吸水石１と砂17との間には網６が介挿されている。この網６は多孔質吸水石１の直径よりも網目の小さい各種公知のものが用いられ、樹脂製の繊維や糸あるいは、天然繊維のもが用いられ、さらには金網を用いることができる。このような網６を多孔質吸水石１との間に配置することにより、多数の多孔質吸水石１を網６と共に取り除き、それを洗浄したり、多孔質吸水石１以外の部分を洗浄することが容易となる。この例において、砂17内に図示しない温水パイプを蛇行状等に敷設し、それを加温装置とすれば、同図の底部４以下を省略することもできる。
【００３０】
次に、図１１および図１２は椅子型の温石浴構造であり、この例は複数の網を袋状にし、その内部に多数の多孔質吸水石１を収納し、あるいは多孔質吸水石１より小なるメッシュの上下２枚の網間を、その網目で多数の縦糸により連結してなる網状マットを形成し、そのマットの各網目内に多孔質吸水石１を圧入して収納したものとし、それを椅子型の背もたれ部24に配置したものである。なお、この例では背もたれ部24のみならず、腰掛部および脚部にもそれを配置し、それらの下面側に流路16を設けそこに温水19を流通させるものである。なお、この例において、温水19の代わりに背もたれ部24の裏面側等に図示しない伝熱ヒータ、や蒸気パイプを配置して、加温手段としてもよい。
【００３１】
（使用方法）
椅子型の温石浴構造は図１１に示す如く、多数の多孔質吸水石１の集合体上に座ることにより、簡易に身体を暖め発熱を促すと共に、指圧効果を得ることができる。
なお、本発明はベット２が乾燥状態にある場合と湿潤状態にある場合とがある。図１〜図５、図10〜図12のものは乾燥状態で使用し、図６〜図９のものは湿潤状態で使用される。そして乾燥状態にあるベット２上には、裸のままでも、浴衣を着たままでも横臥することができる。なお、その際にバスタオル等をベット２上に敷いてもよい。
【００３２】
ベット２上に横臥すると多孔質吸水石１により背中が暖められ、発汗作用が促される。発汗した汗は多孔質吸水石１に吸着される。即ち、多孔質吸水石１は本来珊瑚からなる多孔質の珪藻土等の多孔質材料を主原料とするため、それを焼成して多孔質吸水石１を製造し、吸水性を有するものとできる。したがって、乾式のベット２上は常に乾燥状態に維持され、清潔な状態を保持する。図５の如く底部４と多孔質吸水石１との間にゴム材21が介挿される場合にも同様である。
次に、図６〜図９に示す如く多孔質吸水石１に温水19が接し湿潤状態にある場合には、ベット２上に横臥した身体に適度な水分を与えることができる。それによって呼吸を楽にし、鼻腔を湿らせて楽な呼吸を提供できる。
【図面の簡単な説明】
【００３３】
【図１】本発明の第１の実施の形態を示す縦断面図およびその部分拡大図。
【図２】図１のII−II矢視断面略図。
【図３】同平面図。
【図４】同加温手段３の分解斜視図。
【図５】本発明の第２の実施の形態を示す要部縦断面図。
【図６】本発明の第３の実施例の縦断面図。
【００３４】
【図７】同平面図。
【図８】同構造に用いられる枠板14の斜視図。
【図９】本発明の温石浴構造の第４の実施の形態の要部縦断面図。
【図１０】本発明の温石浴構造の第５の実施の形態の要部縦断面図。
【図１１】本発明の第６の実施の形態の縦断面図。
【図１２】同構造の要部斜視図。
【符号の説明】
【００３５】
１  多孔質吸水石
２  ベット
３  加温手段
４  底部
５  通水性床部
６  網
【００３６】
７  ヘッダ
８  ヘッダ
９  チャンネル材
10  入口パイプ
11  出口パイプ
12  上板
【００３７】
13  下板
14  枠板
15  孔
16  流路
17  砂
18  開口
【００３８】
19  温水
20  中空部
21  ゴム材
22  人工芝
23  不織布
24  背もたれ部
【図１】
2007020752.tif 000003
【図２】
2007020752.tif 000004
【図３】
2007020752.tif 000005
【図４】
2007020752.tif 000006
【図５】
2007020752.tif 000007
【図６】
2007020752.tif 000008
【図７】
2007020752.tif 000009
【図８】
2007020752.tif 000010
【図９】
2007020752.tif 000011
【図１０】
2007020752.tif 000012
【図１１】
2007020752.tif 000013
【図１２】
2007020752.tif 000014